(57)【特許請求の範囲】
【請求項１】
前面に開口を有する収納室と、
前記収納室に対し、前記開口を介して出し入れ可能に収納される収納部と、を備える冷却貯蔵庫であって、
前記収納部は、前記収納室の前記開口を閉止する扉体と、前記扉体の背面に形成され、前記収納室の奥行方向に延びる収納本体部と、を備え、
前記収納室には、前記収納本体部の両側に沿って配され、前記収納室の奥行方向に延在する一対の収納室側レールと、前記開口側に配される一対の支持ローラと、が設けられる一方、
前記収納本体部は、
一つの板状部材を曲げ加工することで、当該板状部材の板面からなる底部に対して、左側壁および右側壁が立ち上げられて構成された収容部と、
前記左側壁および前記右側壁の上端を外側に折り曲げることによって前記収容部と一体的に形成された奥行方向に延在する一対の収納部側レール部と、
前記収容部の左右両側面において前記収納部側レール部の後側に配される一対のガイドローラと、を有し、
前記収納部側レール部が前記支持ローラに案内され、前記ガイドローラが前記収納室側レールに沿って転動しつつ摺動して、前記収納部を前記収納室に出し入れ可能とされており、
前記収容部が、前記底部に対して、さらに前壁および後壁が立ち上げられた上面開放型の箱体を形成し、
前記収納部が、前記一対の収納部側レール部の上方において前記箱体の前壁と後壁とを連結する一対の側面フレームをさらに含む冷却貯蔵庫。
【発明の詳細な説明】
【技術分野】
【０００１】
本明細書によって開示される技術は、冷却貯蔵庫に関する。
【背景技術】
【０００２】
冷却貯蔵庫として、貯蔵庫本体内に、前面に開口を有する収納室が複数並んで設けられる一方、同数のドロワが備えられて、各ドロワが各収納室にレール等で案内されつつ引出し可能に収納されるドロワ収納構造を備えたドロワ式冷蔵庫が知られており、例えば、特許文献１に記載されたようなものがある。このようなドロワ式冷蔵庫では、扉体の背面に収容部を取り付けたドロワが用いられるが、この収容部は、従来、左右２つの側面部材の前端部および後端部を、前枠部材および後枠部材で連結して方形状に組み合わせるとともに、左右２つの側面部材にレール部材を取り付け、さらにフレーム部材等で補強して組み上げた枠体を含んで形成される。そして、この枠体の内部にホテルパン等の上面開放型の箱体が収容されるか、枠体の底面に底面部材が取り付けられて、使用される。
【先行技術文献】
【特許文献】
【０００３】
【特許文献１】特開２０１３−１１９９７０号公報
【発明の概要】
【発明が解決しようとする課題】
【０００４】
上記のようなドロワ収納構造は、業務用冷却貯蔵庫で採用されることが多いが、業務用冷却貯蔵庫は、家庭用冷蔵庫等と比較して収納部の開閉頻度が高く、取扱いが雑になる傾向にあるため、高い強度および耐久性が要求される。しかし、高い強度および耐久性を実現するために組立精度を上げようとすると、従来のような構造のドロワでは、構成部品点数が多いため、各部品に要求される寸法精度が非常に高くなり、また多くの加工・組立工程を要するため、各工程において要求される作業精度も非常に高くなってしまう。この結果、高い強度および耐久性を実現することが困難であるという問題があった。
【０００５】
本明細書は、上記事情に鑑み、製作が容易で安定した品質を確保し易く、強度および耐久性に優れたドロワ収納構造を備えた冷却貯蔵庫を提供する技術を開示する。
【課題を解決するための手段】
【０００６】
本明細書によって開示される冷却貯蔵庫は、前面に開口を有する収納室と、前記収納室に対し前記開口を介して出し入れ可能に収納される収納部と、を備える冷却貯蔵庫であって、前記収納部は、前記収納室の前記開口を閉止する扉体と、前記扉体の背面に形成されて前記収納室の奥行方向に延びる収納本体部と、を備え、前記収納室には、前記収納本体部の両側に沿って配され、前記収納室の奥行方向に延在する一対の収納室側レールと、前記開口側に配される一対の支持ローラとが設けられる一方、前記収納本体部は、一つの板状部材を曲げ加工することで、当該板状部材の板面からなる底部に対して、左側壁および右側壁が立ち上げられて構成された収容部と、前記左側壁および前記右側壁の上端を外側に折り曲げることによって前記収容部と一体的に形成された奥行方向に延在する一対の収納部側レール部と、前記収容部の左右両側面において前記収納部側レール部の後側に配される一対のガイドローラとを有しており、前記収納部側レール部が前記支持ローラに案内され、前記ガイドローラが前記収納室側レールに沿って転動しつつ摺動して、前記収納部を前記収納室に出し入れ可能とされている。
また、前記収容部が、前記底部に対して、さらに前壁および後壁が立ち上げられた上面開放型の箱体を形成していてもよい。
【０００７】
上記構成によれば、ドロワの収納本体部を構成する収容部が、一つの板状部材を曲げ加工することによって形成されるため、構成部品点数を大幅に削減できる。この結果、各部品に要求される寸法精度が緩和され、製作・加工などの作業負担を軽減しながら、高い強度および耐久性を発現することが可能となる。さらに、収納部側レール部が、収容部の側壁上端を外側に折り曲げることによって収容部と一体的に形成されるため、収納本体部の各部分（収納部側レール部等）に受けた力が効率的に収納本体部全体に分散し、全体として強度が向上する。同時に、このような収容部の側壁上端に施した外側への曲げ加工によって、収容部開口部の強度も向上する。収容部を形成するための板状部材として耐摩耗性に優れた金属板を使用すれば、レール部についての要求性能を十分に確保しながら、収納本体部その他の部分と一体的に形成することが容易となる。
また、前記底部に対してさらに前壁および後壁を立ち上げて、前記収容部を箱体とすることで、部品点数を増加させることなく前記収納本体部の強度剛性を高めることができる。
【０００８】
本明細書によって開示される冷却貯蔵庫では、前記収納部が、前記一対の収納部側レール部の上方において前記箱体の前壁と後壁とを連結する左右一対の側面フレームを含んでいてもよい。さらに、この左右一対の側面フレーム同士を連結する懸架フレームを含んでいてもよい。
【０００９】
上記構成によれば、収納本体部を構成する箱体の前壁および後壁との間が側面フレームで橋渡しされることにより、高い強度を確保できる。懸架フレームを有する場合には、さらに高い強度を確保できる。
【００１０】
また、本明細書によって開示される冷却貯蔵庫は、以下のような構成としてもよい。
（１−１）前記一対の収納部側レール部のうち、一の収納部側レール部が、前記収容部の奥行方向に延在し略水平方向にフラットな形状で前記収容部の外方に向けて突出する第一外向突出部を備えて、開放型可動レール部とされると共に、他の収納部側レール部が、前記収容部の奥行方向に延在する突条部又は溝部を有して前記収容部の外方に向けて突出する第二外向突出部を備えて、拘束型可動レール部とされており、
前記第一外向突出部のフラットな形状での突出量が、前記一対の支持ローラのうち、前記開放型可動レール部と係合する一の支持ローラの厚みよりも大きく、
前記一対の支持ローラのうち、前記拘束型可動レール部と係合する他の支持ローラが、前記第二外向突出部の突条部又は溝部に嵌合した状態で、前記収納部側レール部の摺動を案内する構成。
【００１１】
（１−２）前記一対の収納室側レールのうち、一の収納室側レールが、前記収納室の奥行方向に延在し略水平方向にフラットな形状で前記収納室の内方に向けて突出する第一内向突出部を備えて、開放型固定レールとされると共に、他の収納室側レールが、前記収納室の奥行方向に延在する突条部又は溝部を有して前記収納室の内方に向けて突出する第二内向突出部を備えて、拘束型固定レールとされており、
前記第一内向突出部のフラットな形状での突出量が、前記一対のガイドローラのうち、前記開放型固定レールと係合する一のガイドローラの厚みよりも大きく、
前記一対のガイドローラのうち、前記拘束型固定レールと係合する他のガイドローラが、前記第二内向突出部の突条部又は溝部に嵌合した状態で、前記収納部側レール部の摺動を案内する構成。
【００１２】
上記（１−１）又は（１−２）のように、収納室側レール又は収納部側レール部を開放型および拘束型の左右異型形状とする構成によれば、ドロワの出し入れを行う際に、一の支持ローラ又はガイドローラが、前記収納室の奥行方向に延在する突条部又は溝部を有する第二外向突出部又は第二内向突出部と嵌合した状態となるため、左右方向における正規位置が維持されてガタツキを防止できる。また、第一外向突出部又は第一内向突出部のフラットな形状での突出量が、これと係合する他の支持ローラ又はガイドローラの厚みよりも大きく設定されているため、他の支持ローラ又はガイドローラと、開放型固定レール又は開放型可動レール部との間に適度なクリアランスが確保され、スムーズな引出しが可能となる。
第一外向突出部又は第一内向突出部は、略水平方向にフラットな形状で突出するとともに、最端部が下向きに折り曲げられた形状であってもよい。これにより、係合する一の支持ローラ又はガイドローラが、開放型固定レール又は開放型可動レール部から外れることを回避できる。また、開放型固定レール又は開放型可動レール部は、例えば、一の支持ローラ又はガイドローラの上下に略水平に突出する２つの第一外向突出部又は第一内向突出部を備えたコの字型断面を呈するものとしてもよい。他方、拘束型可動レール部又は前記拘束型固定レールは、例えば、これと係合する他の支持ローラ又はガイドローラに寄り添うような山型もしくは谷型の断面を呈する第二外向突出部又は第二内向突出部を備えたものとすることができる。なお、（１−１）および（１−２）のような構造を兼備させてもよい。この場合は、前記開放型可動レール部と前記開放型固定レールは、収納部の同じ側となるように配置する（前記拘束型可動レール部と、前記拘束型固定レールとが同じ側に配される）。
【００１３】
（２）前記収納室が背面壁を有する一方、前記一対の収納室側レールが、２つの収納室側レールの後端部同士を後枠で連結したレール枠体を構成して、この後枠を前記背面壁に締結具によって取り付け固定されるものであって、
前記レール枠体が、前記一対の収納室側レールの後端部が前端部よりも低い後ろ下がりの態様で前記収納室に固定されると共に、
前記レール枠体の後板を、前記収納室背面壁における異なった高さに固定できるよう、前記背面壁の異なった高さに前記締結具を固定するための位置決め構造が設けられている構成。
【００１４】
上記構成によれば、奥行の異なる冷却貯蔵庫に対しても、共通部品を用いてドロワ収納構造を作製し、共通のレール取付角度に調整することができる。これにより、ドロワ開閉力・操作感の統一、意匠性の向上、品質確保、コスト削減が図られる。例えば、前記位置決め構造を位置決め穴、前記締結具をボルトとして、前記背面壁の異なった高さに複数対の位置決め穴を設けると共に、前記後枠にも前記複数対の位置決め穴の各対に対応する複数対の取付穴を設けることとしてもよい。前記レール枠体は、さらに２つの前記収納室側レールの前端部同士を連結する前枠を備えていてもよい。
【発明の効果】
【００１５】
本明細書によって開示される技術によれば、製作が容易で安定した品質を確保し易く、強度および耐久性に優れたドロワ収納構造を備えた冷却貯蔵庫を得ることができる。
【図面の簡単な説明】
【００１６】
【図１】一実施形態に係るドロワ式冷蔵庫の外観斜視図
【図２】冷蔵庫の内部構造を示す一部切欠斜視図
【図３】ドロワを取り外した状態の冷蔵庫１の外観斜視図
【図４】ドロワを前側から見た斜視図
【図５】ドロワを後側から見た斜視図
【図６】箱体の斜視図
【図７】箱体右側の側面図
【図８】収納本体部の正面図
【図９】レールユニットを右前側から見た斜視図
【図１０】レールユニットを左前側から見た斜視図
【図１１】貯蔵庫本体への固定レール部材の取付状態を表す、冷蔵庫１の縦断面図
【図１２】固定レールとガイドローラ、並びに、可動レール部と支持ローラの係合状態を表す一部分解正面図
【発明を実施するための形態】
【００１７】
＜実施形態＞
以下、実施形態について、図１から図１２を参照しながら説明する。本実施形態では、横型の業務用ドロワ式冷蔵庫（冷却貯蔵庫）１を例示する。
【００１８】
まず、本実施形態に係る冷蔵庫１の全体構造について、図１から図３を参照しながら以下に説明する。
冷蔵庫１は、図１に示すように、前面開口型で横長の断熱箱体からなる貯蔵庫本体１０と、この貯蔵庫本体１０の正面視左側に並んで設けられた機械室４０とを備えたものであり、貯蔵庫本体１０の底面四隅に設けられた脚１５によって支持されている。なお、以下の説明では、図１における手前側を前側、奥側を後側もしくは背面側、左手前側を左側、右奥側を右側とする。
【００１９】
貯蔵庫本体１０は、図２に示すように、ともにステンレス鋼板からなる内箱１２と外箱１３とが間隔を隔てて組み合わされるとともに、内箱１２と外箱１３の開口縁の間が合成樹脂製のジョイナで結合されることによって、この外殻体が形成されたものである。なお、外殻体内には、発泡ウレタン樹脂等の発泡樹脂からなる断熱材が発泡充填されている。
【００２０】
貯蔵庫本体１０の右側における大部分の領域は、冷蔵室２０となっている。この冷蔵室２０の前面開口２１に、図３に示すような１本の横枠２４と２本の縦枠２５とを組み合わせた断熱性の仕切枠２３が配されることで、横３列縦２段の合計６個の出入口（開口）２６が区画形成され、各出入口２６の後方の冷蔵室２０内が、それぞれドロワ収納室（収納室）２７となる。この各収納室２７に、ドロワ６０が、出入口２６を通じて引き出し可能に収納される。なお、各ドロワ収納室２７の間には仕切壁はなく、互いに連通している。
【００２１】
貯蔵庫本体１０の左側において機械室４０と隣接する領域の上部には、図２に示すように、冷却器室３０が機械室４０側に張出形成され、この冷却器室３０内に冷却器３１が設置されている。冷却器室３０は、貯蔵庫本体１０の断熱性の左側壁の上部を機械室４０側に凹ませて冷蔵室２０側に開口する凹部が形成され、この開口部を覆うようにダクト板３２が張られることによって、画成されている。冷蔵室２０の左側の側面には、下端部に庫内空気吸込口（吸込口）３３が形成されている一方、上端部には冷気吹出口（吹出口）３４が形成されており、同冷気吹出口３４の冷却器室３０側には庫内ファン３５が配されている。冷蔵室２０の天井面には、奥行方向のほぼ中央部において、間口方向に長く左右両端部が開口された扁平な冷気吹出ダクト（吹出ダクト）３６が設けられており、同吹出ダクト３６の左端開口が冷気吹出口３４の上端位置に臨んでいる。吹出ダクト３６の下面には、前述の縦枠２５とほぼ対応する位置に、冷気吐出口（吐出口）３７が形成されている。
【００２２】
機械室４０には、図２に示すように、冷凍装置が収納されている。冷凍装置は少なくとも凝縮器ファンを備えた凝縮器（図示せず）と、圧縮機４１とが前後に並べて設けられ、この冷凍装置から引き出された冷媒配管４２によって、前述の冷却器室３０に収容された冷却器３１と循環接続されている。図３に示すように、機械室４０の前面には、これと冷却器室３０の前面とを併せて覆うように、前面パネル４３が設置される。前面パネル４３には、冷凍装置の冷却用空気である外気の吸気口４６が形成されているとともに、機械室の左側面を覆う側面パネル４４と、機械室の後面を覆う背面パネル４５（図２を参照）には、冷凍装置を冷却した後の排熱を排出するための排気口４７、４８がそれぞれ設けられている。
【００２３】
冷蔵庫１の冷却運転は、冷凍装置と庫内ファン３５とが駆動されることで行われる。庫内ファン３５により、冷蔵室２０内の庫内空気が、冷蔵室２０の左側面下部に設けられた吸込口３３から吸い込まれて冷却器室３０内に導かれると、吸い込まれた庫内空気が、冷却器室３０内に収容された冷却器３１を流通する間に熱交換されて、冷気が生成される。この冷気の一部が、冷蔵室２０の左側面上部に設けられた冷気吹出口３４から冷蔵室２０内に吹出され、残りの冷気が、冷気吹出ダクト３６を経て、冷蔵室２０上部の２ヶ所に設けられた冷気吐出口３７等から庫内に吹き出される。このような冷気の循環流通がなされることで、冷蔵室２０内すなわち全ドロワ収納室２７が冷却されるようになっている。
この間、冷凍装置等と併せて、機械室４０内に設置された凝縮器ファンも駆動される。凝縮器ファンにより、前面パネル４３に設けられた吸気口４６から外気が吸い込まれて機械室４０内に導かれると、吸い込まれた外気は、凝縮器さらには圧縮機４１を流れることでこれらを冷却する。温められた空気は、側面パネル４４に設けられた排気口４７および背面パネル４５に設けられた排気口４８から排気され、排熱が行われるようになっている。
【００２４】
次に、収納室２７に出入口２６を通じて引き出し可能に収納されるドロワ６０の構造について、図４から図８を参照しながら説明する。
図４および図５に示すように、ドロワ６０は大まかには、扉体６１の背面側に、収納本体部６５が延設された構造である。
【００２５】
扉体６１は、厚い断熱性の板材からなり、ドロワ収納室２７の出入口２６を完全に閉塞可能な横長の長方形に形成されている。扉体６１の前面には、図４に示すように取手６２が設けられており、また背面の周縁には、図５に示すようにパッキン６３が装着されている。このパッキン６３は、ドロワ６０が収納室２７内に収納された時に、出入口２６の前縁に密着してシールする。扉体６１の背面におけるパッキン６３の内側には、出入口２６の開口よりも一回り小さい方形の領域を取り囲むように、膨出部６４が形成されている。この膨出部６４の内側が取付面とされ、ここに後述する箱体７０の前壁７２の前面が当接した状態で、収納本体部６５がネジ８３によって取付固定される。
【００２６】
収納本体部６５を構成する箱体７０は、図６および図７に示すような上面開放型の扁平な箱であり、ステンレス鋼板材の板面からなる長方形の底部７１に対して、前壁７２、左側壁７３、右側壁７４、および後壁７５が、曲げ加工により立ち上げ形成されている。
【００２７】
底部７１をなす長方形の長辺は、ドロワ収納室２７の奥行よりも少し短く、同短辺は、出入口２６の開口幅よりも少し短い長さとされている。図７に表されているように、前壁７２および後壁７５は、出入口２６の開口高さよりも少し低い程度の高さまで立ち上げられているのに対し、左側壁７３および右側壁７４の立ち上げ高さは、前壁７２および後壁７５の立ち上げ高さの約１／３程度とされている。
【００２８】
前壁７２および後壁７５を形成する折り曲げ部分は、まず底部７１の短辺に対して左右に所定量だけ張り出すように立ち上げられた後に、この張り出し部分が底部７１の左右それぞれの長辺に沿うように折り曲げられて、箱体７０の左右両側面の各前後端に、２片の前壁折り返し部７６、並びに、２片の後壁折り返し部７７の計４片の折り返し部が形成されている。前壁折り返し部７６および後壁折り返し部７７の下部外面には、底部７１から立ち上げられた左側壁７３もしくは右側壁７４が、溶接等によって接合される。また、前壁７２および後壁７５の最上端は、箱体７０の内方に向けて折り曲げ補強されている。なお、後壁７５中央部の適当な位置には、後述するレールユニット５０の後枠５２に設けられた２対の取付穴９３Ａ、９３Ｂ、並びに、９４Ａ、９４Ｂに対応する位置に、２対の逃がし穴８７Ａ、８７Ｂ、並びに、８８Ａ、８８Ｂが設けられている。
【００２９】
箱体７０の左側壁７３および右側壁７４の上縁は、最後端部を除くほぼ全長に亘って外側に折り曲げられ、この折り曲げられた部分によって、左右一対の可動レール部（収納部側レール部）１７１、２７１が形成されている。
【００３０】
本実施形態では、上記のように形成された一対の可動レール部１７１、２７１のうち、左側の可動レール部が開放型可動レール部１７１とされ、左側壁７３（ドロワ収納室２７に収容された状態で左側に配置される側壁）の上縁が、箱体７０の外方に向けて略水平方向にフラットな形状で突出するように折り曲げられた後に下方に向けて直角曲げされ、下向きのＬ字型断面をなすように突出する水平外向突出部（第一外向突出部）１７２を形成している。なお、水平外向突出部１７２の後寄りの部分、後述するようにドロワ６０が最大に引き出された状態において支持ローラ５５と当接する位置には、この上面に沿うＬ型形状の補強プレート８５が重ねられて溶接取付されている。
【００３１】
他方、右側壁７４の上縁は、箱体７０の外方に向けて山型断面を有する形状で突出するように折り曲げられて、山型外向突出部（第二外向突出部）２７２を形成しており、これにより右側の可動レール部が拘束型可動レール部２７１とされている。なお、山型外向突出部２７２の後寄りの部分、後述するようにドロワ６０が最大に引き出された状態において支持ローラ５５と当接する位置にも、この上面に沿う形状に形成された補強プレート８６が重ねられて溶接取付されている。
【００３２】
上記において、前述の水平外向突出部１７２の水平方向への突出量は、後述する支持ローラ５５の厚みよりもやや大きくなるように形成されており、前述の山型外向突出部２７２は、後述する支持ローラ５５の上縁に沿うような形状とされている。また、上記水平外向突出部１７２および山型外向突出部２７２は、各側壁の最後端部には形成されておらず（図４、図５）、後述する支持ローラ５５を挿入し易くなっている。
【００３３】
箱体７０の底部７１のうち後寄りの部分には、箱体７０の左右方向に延びるスリット状の開口８０が設けられ（図６等）、その下方に抜け止め片（ストッパ）８１が形成されている。抜け止め片８１は、底部７１の所定位置に開口８０を形成する際に、後方に開口する縦長なコの字状の切込みを入れ、これにより自由端となった前端部分を、下方に折り曲げた後に前方に向けて折り返し、前下がりの段差状に形成したものである（図７）。この抜け止め片８１は、後述するレールユニット５０の前枠５４の後端部に係合するような寸法形状とされている。
【００３４】
図４および図５に示すように、箱体７０の各側面における上記後壁折り返し部７７には、ガイドローラ６９が回転可能に軸支される。ガイドローラ６９は、上記可動レール部１７１、２７１よりも後寄りの上方で、後述するフレーム部６６よりも下方となる位置に、Ｌ型プレート８４を介してネジ止めされている。
【００３５】
箱体７０の左側壁７３および右側壁７４の上方には、それぞれ側面フレーム６７が取り付けられる。側面フレーム６７は、底部７１の長辺よりやや短い長さを有する帯状の板材であり、例えばチャンネル材で形成することができる。側面フレーム６７は、箱体７０の左右各側面において、上記前壁折り返し部７６および後壁折り返し部７７の間を架け渡すように、溶接等によって接合されている。
【００３６】
箱体７０の前壁７２には、図８に示すように、四方の角に近い位置に４つのネジ穴８２が設けられている。前壁７２の前面を、扉体６１の背面における膨出部６４内側の取付面に当接させ、ネジ穴８２にネジ８３を挿入して締結させることで、箱体７０が扉体６１の背面に取り付けられる。
【００３７】
続いて、ドロワ６０を収納する収納室２７側の構造について、図２および図３、並びに、図９から図１１を参照しながら説明する。
図２に示したように、ドロワ収納室２７を内包する冷蔵室２０は、内箱１２内に形成されているが、このうち、冷蔵室２０の後面を形成している部分をバックパネル（背面壁）２２とする。本実施形態においては、バックパネル２２の所定の位置に、各ドロワ収納室２７につき２対の位置決め穴９０Ａ、９０Ｂ、並びに、９１Ａ、９１Ｂが設けられている。冷蔵庫１が奥行６００ｍｍである場合に位置決めピン９２を付設するための位置決め穴９０Ａ、９０Ｂと、冷蔵庫の奥行が７５０ｍｍである場合に使用する位置決め穴９１Ａ、９１Ｂである。位置決め穴９０Ａ、９０Ｂの斜め下方に、位置決め穴９１Ａ、９１Ｂが設けられるが、これらの詳細な位置については後述する。位置決め穴９０Ａ、９０Ｂ、或いは、９１Ａ、９１Ｂにより、後述するレールユニット５０の後部が位置決めされる。
【００３８】
一方、図３に示すように、ドロワ収納室２７の前面において出入口２６を区画形成する仕切枠２３のうち、縦枠２５の庫内側には支持柱２８が立設されており、前面開口２１の左右両側にも、支持柱２８とほぼ同様の構造の側方支持柱２９が立設されている。支持柱２８および側方支持柱２９は、略チャンネル形状をなす中空の柱であって、ステンレス鋼板等の金属で形成することができる。支持柱２８および側方支持柱２９に、後述するレールユニット５０の前部が固定される。
【００３９】
各ドロワ収納室２７に取り付けられるレールユニット（レール枠体）５０は、図９および図１０に示すように、互いに対向して配される一対の固定レール部材１５０、２５０と、各固定レール部材１５０、２５０の後端部同士を後側から連結する後枠５２と、各固定レール部材１５０、２５０の前端部に取り付けられる左右一対のレールベース５３と、この一対のレールベース５３の下端部同士を下側から連結する前枠５４とを、全体として四枠のフレーム状に組み付けて構成したものである。
【００４０】
一対の固定レール部材１５０、２５０は、何れもドロワ収納室２７の奥行より少し短い長さを有しており（図１１）、一方が開放型固定レール（収納室側レール）１５１、他方が拘束型固定レール（収納室側レール）２５１とされて、出入口２６の横幅寸法とほぼ等しい所定間隔を開けて互いに対向するように平行に配される。
【００４１】
開放型固定レール１５１は、図９に示すように、断面がコの字型をなす形状とされている。詳しくは、開放型固定レール１５１は、これと対向する拘束型固定レール２５１側に向けて、上縁と下縁とが略水平方向に直角曲げされることで、上側水平突出部（第一内向突出部）１５２および下側水平突出部（第一内向突出部）１５３が形成されている。
【００４２】
拘束型固定レール２５１は、図１０に示すように、やや縦長の六角筒における内側の縦面を開放したような断面をなす形状とされている。詳しくは、拘束型固定レール２５１には、これと対向する開放型固定レール１５１側に向けて、その上縁を山型形状に、下縁を谷型形状に折り曲げることで、山型突出部（第二内向突出部）２５２および谷型突出部（第二内向突出部）２５３が形成されている。
【００４３】
上記において、山型突出部２５２および谷型突出部２５３は、前述のガイドローラ６９の上端および下端にほぼ沿うような形状とされている（図１２）。また、図９および図１０に示すように、固定レール部材１５０、２５０の前側端部には下側水平突出部１５３および谷型突出部２５３を有さない切除部１５４、２５４が形成されており、前述のガイドローラ６９を挿入し易くなっている。
【００４４】
一対の固定レール部材１５０、２５０の後端には、後枠５２が、両者の間を連結するように溶接等によって固定されている。後枠５２は、出入口２６の横幅寸法とほぼ等しい長さを有する帯状の板材であり、例えばチャンネル材で形成することができる。後枠５２は、板面が前側、すなわち固定レール部材１５０、２５０側を指向するように配されて、後枠５２の両側部から、各固定レール部材１５０、２５０が片持ち状に延出している。また、後枠５２の中央部寄りの適当な位置には、前述のバックパネル２２に設けられた２対の位置決め穴９０Ａ、９０Ｂ、並びに、９１Ａ、９１Ｂに対応する位置に、２対の取付穴９３Ａ、９３Ｂ、並びに、９４Ａ、９４Ｂが設けられている。
【００４５】
一対の固定レール部材１５０、２５０の前端部には、全体として方形状をなす板材からなる一対のレールベース５３が、その板面を互いに対向させるようにして取り付けられる。レールベース５３は、その前側および後側の側端部が対向面とは反対側に折り曲げられているとともに、その上端および後側の下端が、対向面とは反対側に後退する段差部を形成するように曲げ形成されることで、支持柱２８又は側方支持柱２９に取り付けるための上側取付部９５および下側取付部９６が設けられている。レールベース５３は取付マウントとして機能し、上側取付部９５および下側取付部９６において、支持柱２８または側方支持柱２９にボルト止めされる。開放型固定レール１５１の上側水平突出部１５２と、拘束型固定レール２５１の山型突出部２５２において、ドロワ６０が最大に引き出された時にガイドローラ６９が下方から当接する位置には、その上方に補強プレート９７、９８が重ねられた状態で、レールベース５３の上側取付部９５にボルト止めされる。なお、補強プレート９７、９８は、上側取付部９５の対向面と、上側水平突出部１５２又は山型突出部２５２の上面と、の両方に沿うような形状とされている。また、レールベース５３における前側下部、すなわち、各固定レール部材１５０、２５０の前端の下方位置には、支持ローラ５５が回転可能に軸支される。レールベース５３は、例えばステンレス鋼板などの強度の高い金属板で形成することが望ましい。
【００４６】
一対のレールベース５３の下端には、これらの間を出入口２６の横幅寸法とほぼ等しい所定間隔を開けて連結するように、帯状の板材からなる前枠５４が、その板面が上方を指向するように取り付けられる。前枠５４は、後枠５２と同様、出入口２６の横幅寸法とほぼ等しい長さを有する帯状の板材であり、板面が上方を指向するように配される。
前枠５４は、最前端部が下方に折り曲げられて、断面がＬ字型となるように形成されており、前述したように、後端部はドロワ６０の下方に突設した抜け止め片８１と係合可能となっている。
【００４７】
以上のように予め全体として四枠のフレーム状に組まれたレールユニット５０は、前述のドロワ収納室２７に対して、以下のように取り付けられる。
まず、冷蔵室２０のバックパネル２２に設けられた２対の位置決め穴のうち、冷蔵庫１の奥行（本実施形態では、６００ｍｍ）に合わせた位置決め穴９０Ａ、９０Ｂのそれぞれに、計２本の位置決めピン９２を差し込んで固定する（位置決め穴の配置および選択については後で詳述する）。次いで、レールユニット５０の後枠５２に設けられた取付穴のうち、冷蔵庫１の奥行（６００ｍｍ）に合わせた取付穴９３Ａ、９３Ｂを、バックパネル２２に固定した位置決めピン９２にそれぞれ差し込み、後枠５２を冷蔵室２０内に位置決めする。そして、後枠５２の背面をドロワ収納室２７の後面に当てた状態で、レールユニット５０の後部側がドロワ収納室２７の後面をなすバックパネル２２に固定される。
【００４８】
他方、レールユニット５０の前部側は、レールベース５３がドロワ収納室２７の出入口２６の左右両側に配される支持柱２８又は側方支持柱２９に取り付けられることによって固定される。具体的には、図３に示したように、右列の上下の各ドロワ収納室２７では、右側のレールベース５３が右側に位置する側方支持柱２９に、左側のレールベース５３が支持柱２８に、互いに対向するように取り付けられる。中央列の上下の各ドロワ収納室２７では、左右のレールベース５３が左右の支持柱２８に、互いに対向するように取り付けられ、左列の上下の各ドロワ収納室２７では、左側のレールベース５３が左側に位置する側方支持柱２９に、右側のレールベース５３が支持柱２８に、互いに対向するように取り付けられる。
【００４９】
以上のようにして、支持柱２８又は側方支持柱２９にレールユニット５０を取り付けた後、仕切枠２３を冷蔵室２０の前面開口２１に対して組み付ける。予め、横枠２４を縦枠２５に組み付けて仕切枠２３として一体化した上で、縦枠２５を支持柱２８に取り付けるとよい。
【００５０】
以下に、バックパネル２２の２対の位置決め穴９０Ａ、９０Ｂ、並びに、９１Ａ、９１Ｂの配置および選択について詳しく説明する。
冷蔵庫１において、レールユニット５０は、図１１に示すように、固定レール１５１、２５１が後側に向けて緩やかな下り勾配となるように取り付けられる。これにより、ドロワ６０の引出し操作よりも収納操作が容易となり、ドロワ６０が引き出された状態で放置される事態を減らすことができる。具体的には、図１１に示すように、固定レール部材１５０、２５０の取付け長さをＬ、ドロワ６０の引出し角度をαとした場合、レールユニット５０の後枠５２の取付位置を、水平に取り付ける場合の取付位置よりもＶだけ下方にシフトさせることで、引出し角度αが８９°＜α＜９０°となるように調整する。
【００５１】
ここで、冷蔵庫の奥行が７５０ｍｍである場合の固定レール部材の取付け長さをＬ１とし、後枠の取付位置を、水平に取り付ける場合の取付位置よりもＶ１だけ下方にシフトさせることで、引出し角度がα１に調整されるものとする。冷蔵庫１の奥行が６００ｍｍである場合には、固定レール部材の取付け長さＬ２は、Ｌ１よりも短くなる（Ｌ１＞Ｌ２）ため、後枠の取付位置の下方へのシフト量を奥行７５０ｍｍの冷蔵庫と同じＶ１とすると、引出し角度α２は、α１よりも小さくなる（α１＞α２）。
したがって、内箱のバックパネルに、後枠の取付位置を規定するための位置決め穴が、水平に取り付ける場合の位置から一定量だけ下方にシフトさせた位置だけに設けられている場合、これを奥行違いの冷蔵庫に共通して用いようとすると、レール取付角度が互いに相違することとなり、ドロワ開閉力や操作感の違いを生じる原因となる。
【００５２】
そこで、本実施形態に係る冷蔵庫１のバックパネル２２には、後枠５２を、水平位置よりもＶ１だけ下方にシフトさせて取り付けるための位置決め穴９１Ａ、９１Ｂとともに、これらの上方に、Ｖ１よりも小さなＶ２（Ｖ１＞Ｖ２）だけ下方にシフトさせて取り付けるための位置決め穴９０Ａ、９０Ｂが設けられている。ここで、位置決め穴９０Ａ、９０Ｂと、位置決め穴９１Ａ、９１Ｂとは、垂直方向においても若干左右にずれるように配置される。位置決め穴９０Ａ、９０Ｂと、９１Ａ、９１Ｂとのシフト量の差（Ｖ２−Ｖ１）は、通常数ｍｍ程度とごく僅かであり、これらを垂直方向に並べて設けると位置決め穴同士の縁部が近接することとなって穴が破損し易くなるため、これを回避するものである。本実施形態に係る冷蔵庫１は、奥行が６００ｍｍであるが、後枠５２を水平位置よりもＶ２だけ下方にずらして取り付ける位置決め穴９０Ａ、９０Ｂを利用することで、引出し角度をα１に調整することができる。
この結果、同じ部品（冷蔵室２０のバックパネル２２、レールユニット５０の後枠５２、ドロワ６０の後壁７５）を使って奥行７５０ｍｍの冷蔵庫を製造した場合（この場合は、位置決め穴９１Ａ、９１Ｂを利用して、引出し角度をα１に調整）でも、同じ操作感で使用することができる。
【００５３】
次に、本実施形態に係る冷蔵庫１におけるドロワ式収納構造の作動について、以下に説明する。
ドロワ６０をドロワ収納室２７に装着する場合は、その後端側を対応する出入口２６に挿入し、固定レール部材１５０、２５０の前端に形成された切除部１５４、２５４を利用しつつ、左側のガイドローラ６９を上側水平突出部１５２と下側水平突出部１５３との間に、右側のガイドローラ６９を山型突出部２５２と谷型突出部２５３との間に、それぞれ嵌合させる。さらに、ドロワ６０の可動レール部１７１、２７１において水平外向突出部１７２および山型外向突出部２７２が形成されていない後側の部分を利用しつつ、ドロワ６０を軽く押し込んで、左側の支持ローラ５５をドロワ６０の水平外向突出部１７２の下側に、右側の支持ローラ５５を山型外向突出部２７２の下側に、それぞれ嵌め込んで支持させる。
【００５４】
そして扉体６１を押すと、図１２に示すように、左右のガイドローラ６９が固定レール１５１、２５１に、また左右の支持ローラ５５が可動レール部１７１、２７１に係合した状態となり、係合状態を維持しつつガイドローラ６９および可動レール部１７１、２７１が摺動してドロワ６０が収納室２７内に押し込まれ、最後は、パッキン６３が出入口２６の表面側の口縁に密着して扉体６１が出入口２６を閉止する（図１）。なお、この時、レールユニット５０の後枠５２を固定したボルトの頭部は、ドロワ６０の後壁７５に設けた２対の逃がし穴８７Ａ、８７Ｂ、並びに、８８Ａ、８８Ｂのうち、位置決め穴９０Ａ、９０Ｂに対応する逃がし穴８７Ａ、８７Ｂ内に嵌ることとなるため、後壁７５の後面が後枠５２の前面に当接するまで、引出しを押し込むことができる。
【００５５】
冷却運転時は、前述のように、吸込口３３から吸い込まれた庫内空気が冷却器３１を通過することで生成された冷気が、冷蔵室２０の左側面上部の冷気吹出口３４や、冷気吹出ダクト３６の吐出口３７等から吹き出されて、冷蔵室２０内すなわち全ドロワ収納室２７に亘って循環流通され、これにより箱体７０内に収容された食材等の貯蔵物が冷却保存される。
【００５６】
ドロワ６０を引き出す場合は、扉体６１の取手６２を持って手前に引くと、ガイドローラ６９が固定レール１５１、２５１と、支持ローラ５５が可動レール部１７１、２７１と、それぞれ係合しながら上記とは逆回転で転動しつつ、ドロワ６０が手前に引き出される。ドロワ６０の引き出し動作は、ドロワ６０の底部７１下方に設けられた抜け止め片（ストッパ）８１が、レールユニット５０の前枠（ストッパ受）５４の後端部に嵌合することで停止され、ドロワ６０が最大に引き出された状態となる。この時、ドロワ６０の荷重による応力は、可動レール部１７１、２７１の水平外向突出部１７２および山型外向突出部２７２において支持ローラ５５が下方から当接する箇所と、固定レール１５１、２５１の上側水平突出部１５２および山型突出部２５２においてガイドローラ６９が下方からに当接する箇所と、に集中することとなる。ここで、水平外向突出部１７２および山型外向突出部２７２は、当該箇所に取り付けられた補強プレート８５、８６により、上側水平突出部１５２および山型突出部２５２は、当該箇所に取り付けられた補強プレート９７、９８により、それぞれ補強されているため、レールの変形等が防止され、高い耐久性を発現できるようになっている。
【００５７】
本実施形態によれば、以下のような作用効果を得ることができる。
ドロワ６０の収納本体部６５を構成する箱体７０が、一枚のステンレス鋼板材を曲げ加工することによって形成されているため、構成部品点数を大幅に削減できる。この結果、要求される寸法精度が緩和され、製作・加工などの作業負担も軽減できる。また、可動レール部１７１、２７１が、箱体７０の左側壁７３および右側壁７４の上端を外側に折り曲げることによって箱体７０と一体的に形成されるため、収納本体部６５の各部分（可動レール部等）に受けた力が効率的に収納本体部６５全体に分散し、全体として強度が向上する。同時に、このような箱体７０の左側壁７３および右側壁７４の上端に施した曲げ加工（フランジ）によって、箱体７０の開口部の強度も向上する。さらに、ステンレス鋼板材を用いて箱体７０を形成したことにより、箱体７０のその他の部分と一体的に形成した可動レール部においても、繰り返しの転動に耐えうる十分な強度および耐久性が確保されている。
【００５８】
ドロワ６０の収納本体部６５が、一対の可動レール部１７１、２７１の上方において箱体７０の前壁７２と後壁７５とを連結する一対の側面フレーム６７を含み、この左右の側面フレーム６７がさらに懸架フレーム６８で連結されていることにより、高い強度が確保されている。
【００５９】
ドロワ６０の可動レール部１７１、２７１、並びに、ドロワ収納室２７に取り付けられるレールユニット５０の固定レール１５１、２５１が、開放型および拘束型の左右異型形状とされており、ドロワ６０の出し入れを行う際に、右側の支持ローラ５５が、山型外向突出部２７２の下方に、右側のガイドローラ６９が、山型突出部２５２および谷型突出部２５３の間に、嵌合した状態となるため、左右方向における正規位置が維持されてガタツキを防止できる。また、左側の支持ローラ５５と水平外向突出部１７２との間、並びに、左側のガイドローラ６９と上側水平突出部１５２および下側水平突出部１５３との間には、適度なクリアランスが確保できるため、スムーズな引出しが可能となっている（図１２）。
【００６０】
本実施形態において、奥行６００ｍｍの冷蔵庫１の冷蔵室２０に使用したバックパネル２２には、互いに高さの異なる位置に、２対の位置決め穴９０Ａ、９０Ｂ、並びに、９１Ａ、９１Ｂが設けられており、レールユニット５０の後枠５２は、これらの位置決め穴と対応する位置に、２対の取付穴９３Ａ、９３Ｂ、並びに、９４Ａ、９４Ｂが設けられている。本実施形態の奥行６００ｍｍの冷蔵庫１では、位置決め穴９０Ａ、９０Ｂ、並びに、取付穴９３Ａ、９３Ｂを利用したが、奥行７５０ｍｍの冷蔵庫を製造する場合にも、同じバックパネル２２およびレールユニット５０（後枠５２）を用いて、位置決め穴９１Ａ、９１Ｂ、並びに、取付穴９４Ａ、９４Ｂを利用すれば、同じレール取付角度に調整することができ、逃がし穴８８Ａ、８８Ｂにレールユニット５０を固定したボルトの頭部を逃がすことで、後壁７５の後面が後枠５２の前面に当接するまで引出しを押し込むことができる。ドロワ開閉力や操作感を揃えつつ、奥行違いの製品にも部品を共通して用いることが可能となるため、部品製造や在庫管理の合理化を図ることができ、コスト面等において有利である。
【００６１】
＜その他の実施形態＞
本明細書によって開示される技術は、上記記載および図面によって説明した実施形態に限定されるものではなく、例えば以下のような実施形態も技術的範囲に含まれる。
【００６２】
（１）本明細書で開示される技術は、上記実施形態のような複数のドロワを備えた業務用ドロワ式冷蔵庫に特に好ましく用いることができるが、これに限定されるものではない。例えば、扉式収納構造の下部又は上部に、１つ又は複数のドロワ式収納構造を備えた、家庭用冷蔵庫のドロワ式収納構造部分等にも適用できる。
【００６３】
（２）上記実施形態では、被冷却物は、ドロワ６０の収納本体部を構成する箱体７０内に直接収容されるものとしたが、このような使用態様の冷蔵庫に限定されるものではない。例えば、ドロワの収納本体部には懸架フレームを付設せず、箱体の前壁の上端面と、後壁の上端面とにフランジの裏面を当接させつつ、ホテルパン等のフランジ付容器を載置し、このフランジ付容器内に被冷却物を収容することとしてもよい。
【００６４】
（３）上記実施形態における第二外向突出部および第二内向突出部、並びに、支持ローラおよびガイドローラの形状は、適宜変更することができる。例えば、第二外向突出部又は第二内向突出部が、支持ローラ又はガイドローラに向けて突出する突条部を有し、支持ローラ又はガイドローラが、前記突条部と嵌合するような溝部を有する形状としてもよい。
【符号の説明】
【００６５】
１・・・業務用ドロワ式冷蔵庫（冷却貯蔵庫）、１０・・・貯蔵庫本体、１２・・・内箱、１３・・・外箱、１５・・・脚、２０・・・冷蔵室、２１・・・前面開口、２２・・・バックパネル（背面壁）、２３・・・仕切枠、２４・・・横枠、２５・・・縦枠、２６・・・出入口（開口）、２７・・・ドロワ収納室（収納室）、２８・・・支持柱、２９・・・側方支持柱、３０・・・冷却器室、３１・・・冷却器、３２・・・ダクト板、３３・・・庫内空気吸込口（吸込口）、３４・・・冷気吹出口（吹出口）、３５・・・庫内ファン、３６・・・冷気吹出ダクト（吹出ダクト）、３７・・・冷気吐出口（吐出口）、４０・・・機械室、４１・・・圧縮機、４２・・・冷媒配管、４３・・・前面パネル、４４・・・側面パネル、４５・・・背面パネル、４６・・・吸気口、４７、４８・・・排気口、５０・・・レールユニット（レール枠体）、５２・・・後枠、５３・・・レールベース、５４・・・前枠（ストッパ受）、５５・・・支持ローラ、６０・・・ドロワ（収納部）、６１・・・扉体、６２・・・取手、６３・・・パッキン、６４・・・膨出部、６５・・・収納本体部、６６・・・フレーム部、６７・・・側面フレーム、６８・・・懸架フレーム、６９・・・ガイドローラ、７０・・・箱体、７１・・・底部、７２・・・前壁、７３・・・左側壁、７４・・・右側壁、７５・・・後壁、７６・・・前壁折り返し部、７７・・・後壁折り返し部、８０・・・開口、８１・・・抜け止め片（ストッパ）、８２・・・ネジ穴、８３・・・ネジ、８４・・・Ｌ型プレート、８５、８６・・・補強プレート、８７、８８・・・逃がし穴、９０、９１・・・位置決め穴、９２・・・位置決めピン、９３、９４・・・取付穴、９５・・・上側取付部、９６・・・下側取付部、９７、９８・・・補強プレート、１５０、２５０・・・固定レール部材、１５１・・・開放型固定レール（収納室側レール）、１５２・・・上側水平突出部（第一内向突出部）、１５３・・・下側水平突出部（第一内向突出部）、１５４、２５４・・・切除部、１７１・・・開放型可動レール部（収納部側レール部）、１７２・・・水平外向突出部（第一外向突出部）、２５１・・・拘束型固定レール（収納室側レール）、２５２・・・山型突出部（第二内向突出部）、２５３・・・谷型突出部（第二内向突出部）、２７１・・・拘束型可動レール部（収納部側レール部）、２７２・・・山型外向突出部（第二外向突出部）
【図１】
0006403475.tif 000002
【図２】
0006403475.tif 000003
【図３】
0006403475.tif 000004
【図４】
0006403475.tif 000005
【図５】
0006403475.tif 000006
【図６】
0006403475.tif 000007
【図７】
0006403475.tif 000008
【図８】
0006403475.tif 000009
【図９】
0006403475.tif 000010
【図１０】
0006403475.tif 000011
【図１１】
0006403475.tif 000012
【図１２】
0006403475.tif 000013